(57)【要約】【課題】室内に排泄物による臭気が漏出するのを防ぐことができるペット用トイレを提供する。【解決手段】上面側が開放された箱状の便器２と、便器２の上面側を塞ぐ便蓋３とを備えたペット用トイレ１であって、便器２の近傍に、ペットの接近を検知するペット検知手段７と、便蓋３を開閉するための便蓋駆動手段９とを備えており、便蓋駆動手段９が、ペット検知手段７の検知に基づいて便蓋３を開け、更に、ペット検知手段７の非検知に基づいて便蓋３を閉じることを特徴とする。【選択図】図２
0003115783.tif 000002
【実用新案登録請求の範囲】
【請求項１】
上面側が開放された箱状の便器と、当該便器の上面側を塞ぐ便蓋とを備えたペット用トイレであって、
前記便器の近傍に、ペットの接近を検知するペット検知手段と、前記便蓋を開閉するための便蓋駆動手段とを備えており、
当該便蓋駆動手段が、前記ペット検知手段の検知に基づいて前記便蓋を開け、更に、前記ペット検知手段の非検知に基づいて前記便蓋を閉じることを特徴とするペット用トイレ。
【請求項２】
前記ペット用トイレは更に、前記便器の内部から外部へと延びる排気通路を有すると共に、当該排気通路内に排気ファンと臭気処理フィルタとを備えており、当該排気ファンが、前記ペット検知手段の非検知に基づいて所定時間作動することを特徴とする請求項１に記載のペット用トイレ。
【考案の詳細な説明】
【技術分野】
【０００１】
本考案は、主に室内で飼育する犬や猫などのペットのためのトイレに関する。
【背景技術】
【０００２】
近年、住宅環境の変化や小型ペットの人気上昇に伴い、ペットを室内で飼育する人が増加している。ペットを室内で飼育するには、ペット用トイレを室内に備えておく必要があり、従来から、種々の室内置きペット用トイレが提案され、使用されている。
【０００３】
この室内置きペット用トイレは一般に、ペットが随時排泄できるよう上面側が開放された箱状に形成されており、その底面に排泄物を吸着する粒状のトイレ砂が充填されて構成されている。
【考案の開示】
【考案が解決しようとする課題】
【０００４】
しかしながら、従来のペット用トイレでは、上面側が常時開放されているため、飼い主が排泄物を即座に始末しないと、その臭気が室内に漏出するという問題があった。特に、ペットを室内に残して外出した場合、長時間に亘り臭気が室内に残留することになり、帰宅時には悪臭が部屋中に充満しているという問題を生じていた。
【０００５】
本考案は上記事情に鑑みてなされたものであり、その目的とするところは、室内に排泄物による臭気が漏出するのを防ぐことができるペット用トイレを提供することにある。  
【課題を解決するための手段】
【０００６】
上記課題を解決するために本考案は、上面側が開放された箱状の便器と、当該便器の上面側を塞ぐ便蓋とを備えたペット用トイレであって、前記便器の近傍に、ペットの接近を検知するペット検知手段と、前記便蓋を開閉するための便蓋駆動手段とを備えており、当該便蓋駆動手段が、前記ペット検知手段の検知に基づいて前記便蓋を開け、更に、前記ペット検知手段の非検知に基づいて前記便蓋を閉じることを特徴とする。
【０００７】
上記構成において、前記ペット用トイレは更に、前記便器の内部から外部へと延びる排気通路を有すると共に、当該排気通路内に排気ファンと臭気処理フィルタとを備えており、当該排気ファンが、前記ペット検知手段の非検知に基づいて、所定時間作動するようになされていてもよい。
【考案の効果】
【０００８】
上記のように構成された本考案のペット用トイレによれば、ペット検知手段によってペットの接近を検知し、その検知／非検知に基づいて自動で便蓋を開／閉することができる。従って、ペットが当該トイレを使用するとき以外は、便蓋は閉じられた状態にあり、室内に排泄物による臭気が漏出するのを防ぐことができる。
【０００９】
なお、排泄室と接続された排気通路を設けると共に、当該排気通路内に排気ファンと臭気処理フィルタとを設けた場合は、排泄室内の臭気を脱臭または消臭して、強制的に外部に排気することができるため、次回便蓋が開けられたときに、排泄室内に残留していた臭気が漏出してしまうようなことがない。
【考案を実施するための最良の形態】
【００１０】
以下、図面を参照して本考案の好ましい一実施形態につき説明する。
図１は、本考案にかかるペット用トイレを示す概略斜視図であり、図２は、図１に示すペット用トイレの概略側断面図である。
図１に示すように、本考案にかかるペット用トイレ１は主に、上面側が開放された箱状の便器２と、その上面を塞ぐように配置された便蓋３と、便器２の後方に隣接して配置されたボックス４とにより、構成されている。
【００１１】
便器２は、図１および図２に示す如く、箱状に形成されており、その底部に天然砂、ゼオライト、ベンナイト、紙または木屑などからなるペット用トイレ砂５が敷設され、排泄室６を構成している。
便器２は更に、前壁の上端部に、ペットが接近したことを検知するペット検知手段７が備え付けられており、後述するボックス４内に配置された制御装置８に電気的に接続されている。このペット検知手段７には、赤外線やマイクロ波を用いたセンサなど、動体または静止体を検知し得る公知のセンサを用いることができる。
【００１２】
便蓋３は、図１および図２に示す如く、板状であって便器２の上面側を完全に塞ぎ得るように形成されており、短辺側の一方に設けられた回動軸３ａを中心として開閉可能なように、備え付けられている。
便蓋３は更に、モータやソレノイドなどからなる便蓋駆動手段９に、ギヤなど（不図示）を介して接続されており、これによって、回動軸３ａを中心に電動で回動せしめられ、開閉せしめられる。
【００１３】
ボックス４は、図１および図２に示す如く、内部に上述の駆動手段９と、便器２内部の排泄室６から外部へ臭気を排気するための排気通路１０を収納し、便器２の後方に隣接して配置されている。
この排気通路１０内には、臭気を排気するための排気ファン１１と、脱臭フィルタまたは消臭フィルタなどの臭気処理フィルタ１２とが備え付けられており、排泄室６内の臭気を強制的に外部に排気すると共に、脱臭または消臭するように構成されている。
ボックス４は更に、ペット検知手段７、便蓋駆動手段９、および排気ファン１１を制御する制御装置８を収納している。
【００１４】
次に、上記のように構成されたペット用トイレ１の作用について、図３のブロック図を参照して説明する。
犬や猫などのペットが排泄すべく、このペット用トイレ１に接近すると、ペット検知手段７がその接近を検知し、制御装置８に検知信号を送る。そして、制御装置８は、便蓋駆動手段９を介して便蓋を開けさせる。
その後、ペットが排泄室６内で排泄を済ませ、ペット用トイレ１から離れると、ペット検知手段７はペットを検知しなくなり、検知信号の送信を停止する。これに基づいて、制御装置８は、便蓋駆動手段９を介して便蓋３を閉じさせると共に、排気ファン１１を予め設定された時間作動させる。
【００１５】
上記のように構成され、作用する本考案にかかるペット用トイレ１によれば、ペット検知手段７によってペットの接近を検知し、その検知／非検知に基づいて自動で便蓋３を開／閉することができる。従って、ペットが当該トイレ１を使用するとき以外は、便蓋３は閉じられた状態にあり、室内に排泄物による臭気が漏出するのを防ぐことができる。
【００１６】
更に、排泄室６と接続された排気通路１０を設けると共に、排気通路１０内に排気ファン１１と臭気処理フィルタ１２とを設けた場合は、排泄室６内の臭気を脱臭または消臭して、強制的に外部に排気することができるため、次回便蓋３が開けられたときに、排泄室６内に残留していた臭気が漏出してしまうようなことがない。
【００１７】
以上、具体例を例示しつつ、本考案の実施の形態について説明したが、本考案はこれらの具体例に限定されるものではない。
上記実施形態では、ペット検知手段を便器の前壁に設けたが、ペットの接近を検知し得る位置に設ければよく、例えばボックスの上部に設けてもよい。
また、上記実施形態では、便器内にペット用トイレ砂を直接敷設したが、便器内に別途トレーを設け、その中にトイレ砂を敷設してもよい。この場合、トイレ砂の交換が容易となる。
【図面の簡単な説明】
【００１８】
【図１】本考案にかかるペット用トイレの一例を示す概略斜視図である。
【図２】図１に示すペット用トイレの概略側断面図である。
【図３】図１に示すペット用トイレの制御ブロック図である。
【符号の説明】
【００１９】
１  ペット用トイレ
２  便器
３  便蓋
７  ペット検知手段
９  便蓋駆動手段
【図１】
0003115783.tif 000003
【図２】
0003115783.tif 000004
【図３】
0003115783.tif 000005